(57)【要約】【課題】  本発明は、画像の再生を効率的に行うことができる医用画像表示装置を提供することにある。【解決手段】  撮影された動画像または静止画像を含む医用画像を再生表示する医用画像表示装置であって、動画像と静止画像との間の関連属性をメモリ部７に記憶させておき、動画像が繰り返し再生されている時または、静止画像が表示されている時に、画像表示の中断がリモコン３３から入力されると、メモリ部７に記憶された関連属性に応じて、表示制御部１１が再生する画像を切り換える。【選択図】      図１
2006081902.tif 000002
【特許請求の範囲】
【請求項１】
撮影された動画像または静止画像を含む医用画像を再生表示する医用画像表示装置であっ
て、
動画像と静止画像との間の関連属性を記憶する関連属性記憶手段と、
画像表示の中断指示を入力する中断指示入力手段と、
動画像が繰り返し再生されている時または、静止画像が表示されている時に、前記中断
指示が入力された場合に、前記関連属性に応じて表示画像を切り換える画像表示制御手段
と、
を有することを特徴とする医用画像表示装置。
【発明の詳細な説明】
【技術分野】
【０００１】
本発明は動画像および静止画像の再生を行うことのできる医用画像表示装置に関する。
【背景技術】
【０００２】
従来、各種医用機器で撮影された動画像及び静止画像を含む医用画像（以下、単に画像
という）を医用画像表示装置に再生して参照を行う場合、撮影された動画像はＶＴＲ（Ｖ
ｉｄｅｏ  Ｔａｐｅ  Ｒｅｃｏｒｄｅｒ  ）装置にアナログ記憶される一方、静止画像は
フィルムまたは光磁気ディスク等の記録媒体に記録されている。
【０００３】
そこで、オペレータが動画像と静止画像とを交互に参照しようとした場合、ＶＴＲ装置
およびＭＯ（Ｍａｇｎｅｔｉｃ  Ｏｐｔｉｃａｌ）装置をそれぞれ操作して再生させてい
た。
【０００４】
また、ＶＴＲ装置で動画像のみを表示する場合、所望の画像が現れるまで再生および早
送り操作を繰り返し行なっていた。
【０００５】
さらに、ＶＴＲ装置である範囲の動画像をループ表示させたい場合、巻き戻し操作を行
った後に再生操作を行っていた。
【０００６】
さらにまた、医用画像表示装置で動画像の再生表示を行う場合、次／前操作を行って静
止画像のインデックスを表示し、次に、再生操作を行っていた。また、動画像と静止画像
が混在しているときも、静止画像のインデックスを表示し、次に、再生操作を行っていた
。
【発明の開示】
【発明が解決しようとする課題】
【０００７】
しかしながら、従来の医用画像表示装置にあっては、所望の動画像を再生表示させる場
合、動画像はＶＴＲ装置に記録されていたので、目的の画像に到達するまで目的以前の画
像を見なくてはならず、操作効率が低かった。
【０００８】
また、動画像も静止画像としてブラウジングしていたため、動画像と静止画像の見分け
がつかなかった。また、動画像と静止画像とを区別して表示する場合、動画像と静止画像
を別々の画面に表示させて１検査に対応するブラウジングを得るため、２回の操作を必要
とした。
【０００９】
本発明は、上記に鑑みてなされたもので、その目的としては、画像の生成および再生を
効率的に行うことができる医用画像表示装置を提供することにある。
【課題を解決するための手段】
【００１０】
本発明は、撮影された動画像または静止画像を含む医用画像を再生表示する医用画像表
示装置であって、動画像と静止画像との間の関連属性を記憶する関連属性記憶手段と、画
像表示の中断指示を入力する中断指示入力手段と、動画像が繰り返し再生されている時ま
たは、静止画像が表示されている時に、前記中断指示が入力された場合に、前記関連属性
に応じて表示画像を切り換える画像表示制御手段と、を有することを要旨とする。
【００１１】
本発明にあっては、動画像または静止画像のいずれか一方の再生中に中断指示が入力さ
れた場合には、記憶された関連属性に応じて再生する画像を切り換えることができるとい
う作用を有する。
【発明の効果】
【００１２】
以上、説明したように、本発明によれば、画像の再生を効率的に行うことができる。
【発明を実施するための最良の形態】
【００１３】
以下、図面を用いて本発明の実施の形態を説明する。
（第１の実施の形態）
図１は、本発明の第１の実施の形態に係る医用画像表示装置１のシステム構成図である
。
同図において、医用画像表示装置１は、超音波ビームを走査して断層像（以下、単に画
像という）を描かせる超音波診断装置３と接続されている。なお、超音波診断装置３には
、動画像を記憶する外部制御が可能なＶＴＲ装置を有するものとする。
【００１４】
また、医用画像表示装置１は、制御プログラムおよび制御データに基づいて装置の制御
および演算処理を行うＣＰＵ部５と、装置の制御プログラムおよび制御データを記憶する
メモリ部７と、磁気ディスクに磁気ヘッドを介して画像データを読み書きするＨＤ部９と
、ＣＰＵ部５とＶＲＡＭ１３との間で画像データのやりとりを行い画像データを表示処理
する表示制御部１１と、表示部１５に表示可能な画像を展開して記憶するＶＲＡＭ（Ｖｉ
ｄｅｏ  Ｒａｎｄｏｍ  Ａｃｃｅｓｓ  Ｍｅｍｏｒｙ）１３と、モニタ等を有し、画像を
表示する表示部１５と、ネットワーク１９を介して他の端末装置との間でデータ通信を制
御するＬＡＮ制御部１７と、静止画像データの書き込み消去が可能な光磁気ディスクの駆
動制御を行うＭＯドライブ２１と、このＭＯドライブ２１との間で制御データや画像デー
タの転送を行うＳＣＳＩ  Ｉ／Ｆ部２３と、キーボード２５やマウス２７やＦＤドライブ
２９等のＩ／Ｏ機器との入出力を制御するＩ／Ｏ部３１と、超音波診断装置３やリモコン
３３等との間でＲＳ２３２Ｃ規格に基づいてシリアル通信を制御するシリアルＩ／Ｆ部３
５と、超音波診断装置３から出力される画像を内部ＲＡＭに収集する一方、編集後の画像
を超音波診断装置３の超音波モニタに表示するための画像を生成する画像収集部３７と、
表示制御部１１で生成された画像を超音波診断装置３の超音波モニタに表示するための走
査変換処理を施す一方、この走査変換処理を施された画像信号と画像収集部３７からの出
力画像信号とを合成する画像変換合成部３９と、内部バス４１とから構成される。
【００１５】
次に、図２に示すフローチャートを用いて画像にマークを付加する動作を説明する。
まず、オペレータは超音波診断装置３のキーボードやトラックボール等の入力装置で画
像を選択し、動画像か静止画像か混在画像かのどれを再生するかを選択する。ここで例え
ば再生する画像が動画像のみであり、動画像のうち特定画像を静止したとする。なお、こ
の場合、超音波診断装置３からの出力画像は撮影中の超音波画像でもよい。また、撮影中
の超音波画像は超音波診断装置３のモニタに表示されているものとする。
【００１６】
ステップＳ１０では、超音波診断装置３で撮影された画像を画像収集部３７の内部ＲＡ
Ｍに格納する。
次に、ステップＳ２０では、プラウズカットとして採用するために、リモコン３３から
当該画像にマークを付加する指示が送られたか否かを判断する。マークを付加する指示が
送られた場合には、ステップＳ３０に進む一方、マークを付加する指示が送られなかった
場合には、ステップＳ５０に進む。
【００１７】
次に、ステップＳ３０では、マークを付加する指示が送られたので、ＣＰＵ部５は画像
収集部３７の内部ＲＡＭに格納された画像の例えば右下部位にマークを付加するように指
示する。
【００１８】
次に、ステップＳ４０では、画像収集部３７の内部ＲＡＭに格納されたマークが付加さ
れている画像をＨＤ部９に格納する。
一方、ステップＳ５０では、マークを付加する指示が送られなかったので、ＣＰＵ部５
は画像収集部３７の内部ＲＡＭに格納された画像をそのままＨＤ部９に格納する。
次に、ステップＳ６０では、プラウズカットの作成を終了するために、リモコン３３か
ら終了指示が送られたか否かを判断する。終了指示が送られた場合には、処理を終了する
一方、終了指示が送られなかった場合には、ステップＳ１０に戻って処理を繰り返す。
【００１９】
次に、図３に示す図を用いて医用画像表示装置１の動作を説明する。
上記ステップＳ１０〜Ｓ６０の処理を終了することでＨＤ部９には、図３（ａ）に示す
ように、それぞれ１心拍分の画像Ａ１〜Ａ４，Ｂ１〜Ｂ４，Ｃ１〜Ｃ４が記憶されている
。ここで、マーク（以下、ここでは＊とする）が付加された画像は、Ａ２，Ａ４，Ｂ３，
Ｃ１である。
次に、ＨＤ部９に記憶されたマーク（＊）が付加された画像の番号Ａ２，Ａ４，Ｂ３，
Ｃ１のみをメモリ部７のブラウズカットテーブルに記憶させ、ブラウズカットを作成する
。
【００２０】
次に、ＣＰＵ部５は、メモリ部７のブラウズカットテーブルに記憶された画像の番号Ａ
２，Ａ４，Ｂ３，Ｃ１に基づいてＨＤ部９から順次に指定された番号に対応する画像を読
み出し、表示制御部１１を介してＶＲＡＭ１３に記憶する。一方、表示制御部１１ではＶ
ＲＡＭ１３に記憶された画像データを読み出して表示部１５に表示する。こうして、図３
（ｂ）に示すように、Ａ２，Ａ４，Ｂ３，Ｃ１をつなぎ合わせた画像、すなわちブラウズ
カット画像を表示部１５に再生表示することができ、任意の範囲画像のみを表示するので
、画像を読む時間が短縮されることになる。
【００２１】
また、再生する画像が動画像のみで構成されている場合には任意の部分範囲を選択する
。部分範囲を選択する際に、動画像が例えば心拍数を表しているときには、心電図の任意
の１心拍分を選択することができ、同一画像内の心拍画像を余分に読むことがなく、操作
時間や再生時間を短縮することができる。
【００２２】
（第２の実施の形態）
図１に示す医用画像表示装置１のシステム構成に対して、リモコン３３にオペレータの
中断指示を入力する中断キーを付加したことを特徴とする。
次に、図４に示す図を用いて医用画像表示装置１の動作を説明する。
いま、図４に示すように、Ａ２，Ａ４，Ｂ３，Ｃ１をつなぎ合わせた画像（イ）、すな
わちブラウズカット画像を表示部１５に順次に再生表示しているものとする。
【００２３】
このとき、オペレータがリモコン３３の中断キー（ロ）を押したこととする。ここで、
ＣＰＵ部５は、一連のブラウズカット画像Ａ２，Ａ４，Ｂ３，Ｃ１の再生表示を中断する
一方、中断キー（ロ）が画像番号Ａ２の再生時点で押されたので、画像番号Ａ２を含む１
心拍分の動画像Ａ２〜Ａｘ〜Ａ２を再生する。次に、矢印（ニ）のように、ブラウズカッ
ト画像Ａ４の再生表示に進み、以後、一連のブラウズカット画像Ａ２，Ａ４，Ｂ３，Ｃ１
の順次の再生表示（イ）を実行する。
【００２４】
なお、リモコン３３から次画像または前画像のいずれか一方を選択して入力し、次に、
中断キー（ホ）を押すようにしてもよく、この場合、図４に示すように、表示している画
像番号Ａ４の再生を中断し、選択した次画像Ｂ３を含む１心拍分の動画像Ｂ３〜Ｂｘ〜Ｂ
３を再生することもできる。
また、リモコン３３から画像番号またはマーク（＊）の指定を行っている場合、その画
像番号またはマーク（＊）にジャンプしてもよい。マーク（＊）の指定がない場合には、
その画像番号の先頭にジャンプすることもできる。さらに、再生表示を行った後に、自動
的に動画像のループ再生（イ）を行うようにする。
【００２５】
（第３の実施の形態）
図１に示す医用画像表示装置１のシステム構成に対して、表示部１５の表示画面にオペ
レータの操作を入力するタッチパネルを付加したことを特徴とする。
図５は、動画像を再生表示する表示部１５の表示画面を示す図である。同図において、
５６は動画像の巻き戻しボタン、５７は再生ボタン、５８は停止ボタン、５９は早送りボ
タン、６０は一時停止ボタンを示している。
次に、図６は、静止画像を再生表示する表示部１５の表示画面を示す図である。同図に
おいて、６１は矢印を押すまたはボタン６２を移動させることで、静止画像の巻き戻しボ
タン、再生ボタン、停止ボタン、早送りボタン、一時停止ボタンと同様の操作機能を行え
ることを示している。
【００２６】
図４に示すように、ブラウズカット画像が混在するファイルがＨＤ部９に記憶されてい
る場合、再生表示する画像が動画像のときには、図５に示すように表示部１５に動画像を
表示する一方、動画像の再生途中で静止画像が再生表示されるときには、図６に示すよう
に表示部１５に静止画像を表示するので、表示画像が動画像の場合でも静止画像の場合で
も、それぞれの操作に適した操作機能をオペレータに提供することができる。
【００２７】
（第４の実施の形態）
図１に示す医用画像表示装置１のシステム構成に対して、メモリ部７に個々の動画像と
静止画像との間の関連属性を記憶する関連属性テーブルを付加したことを特徴とする。
図７は、動画像（縦線）と静止画像（網掛け）が混在するブラウズカット画像の再生を
制御する様子を示す図である。
【００２８】
同図において、（イ）は動画像を繰り返し再生している状態を表している。ここで、リ
モコン３３から中断キー７１が押された場合には、静止画像（ロ）の再生に移る。
このように、中断キー７１が押された時点でＣＰＵ部５がメモリ部７に記憶された関連
属性テーブルから関連属性を読み出し、動画像（イ）の関連属性として静止画像（ロ）を
表示することで、中断キー７１が押された場合に、動画像（イ）の繰り返し再生状態から
静止画像（ロ）の再生に移ることができる。
【００２９】
（第５の実施の形態）
図８は、動画像および静止画像を再生表示する表示部１５の表示画面を示す図である。
同図にいおて、動画像（イ）上に縮小された静止画像（ロ），（ハ）を表示する。なお
、関連する画像がない場合は、表示部１５の表示位置（ハ）に関連する画像がないことを
示すメッセージを表示するものとする。
次に、図９（ａ）は動画像の流れを、図９（ｂ）は静止画像の流れを示しており、それ
ぞれ図８に示す動画像画面（イ）、静止画像画面（ロ）に表示される。なお、図９（ｂ）
に示す静止画像の流れは関連する画像を示している。
【００３０】
なお、関連する静止画像がある場合は、例えば表示部１５の表示画面を縦方向に左右に
２分割して、一方に動画像を他方に静止画像を表示してもよい。静止画像が複数あるとき
は、表示期間を設定して順次に関連する静止画像を表示する。また、関連する静止画像が
単数のときには、中断指示を受信するまで各画像を表示するものとする。
このように、図９（ａ）に示す再生中の動画像の画像番号に基づいてＣＰＵ部５がメモ
リ部７に記憶された関連属性テーブルから当該動画像の関連属性を読み出す。ここで、関
連属性テーブルに当該動画像の関連属性が記憶されている場合には、この関連属性に対応
する静止画像を図９（ｂ）に示すように再生することで、容易に再生中の動画像に関連す
る静止画像の再生もできる。
【００３１】
また、１回のブラウジング再生で動画像と静止画像が表示でき、一方の動画像が表示さ
れると関連する静止画像が表示され、オペレータは必要な静止画像を早く見ることができ
るので、診断効率を改善することができる。
なお、上記実施の形態では、１心拍分の画像を用いて画像選定を行う場合について説明
したが、画像選定を行う対象範囲を任意に選定できるように構成してもよく、この場合、
オペレータが所望する画像範囲を指定入力するように構成すればよい。
【図面の簡単な説明】
【００３２】
【図１】本発明の第１の実施の形態に係る医用画像表示装置１のシステム構成図である。
【図２】画像にマークを付加する動作を説明するためのフローチャートである。
【図３】医用画像表示装置１の動作を説明するための図である。
【図４】医用画像表示装置１の動作を説明するための図である。
【図５】動画像を再生表示する表示部１５の表示画面を示す図である。
【図６】静止画像を再生表示する表示部１５の表示画面を示す図である。
【図７】動画像（縦線）と静止画像（網掛け）が混在するブラウズカット画像の再生を制御する様子を示す図である。
【図８】動画像および静止画像を再生表示する表示部１５の表示画面を示す図である。
【図９】動画像の流れおよび静止画像の流れを示す図である。
【符号の説明】
【００３３】
３  超音波診断装置
５  ＣＰＵ部
７  メモリ部
９  ＨＤ部
１１  表示制御部
１３  ＶＲＡＭ
１５  表示部
３３  リモコン
３７  画像収集部
【図１】
2006081902.tif 000003
【図２】
2006081902.tif 000004
【図３】
2006081902.tif 000005
【図４】
2006081902.tif 000006
【図５】
2006081902.tif 000007
【図６】
2006081902.tif 000008
【図７】
2006081902.tif 000009
【図８】
2006081902.tif 000010
【図９】
2006081902.tif 000011